(57)【要約】【課題】  各地点で行われた会議映像の特徴を一目で把握できる表示装置を提供する。【解決手段】  表示装置５は、複数の地点で行われた会議の映像を記憶するデータベース４から各会議映像に関する情報を取得し、取得した各会議映像に関する情報に基づいて、各地点で行われた会議の特徴を表現するアイコンＩと場所と時間の軸上に表現された表Ｔを生成し、該場所と時間の軸上で表現された表Ｔ上に該アイコンを各地点で行われた会議に対応させて表示するサーバー５２を有する。各地点で行われた会議の特徴を表現するアイコンを場所と時間の軸上に表現された表上に表示するので、各地点で行われた会議映像の特徴を一目で把握できる。サーバー５２は、会議映像に関する情報をパーソナルコンピュータ６に送信するための操作画面を表示する。【選択図】          図５
2005354541.tif 000002
【特許請求の範囲】
【請求項１】
複数の地点で行われる会議の映像を記憶する映像記憶装置から各会議映像に関する情報を取得する取得手段と、
前記取得手段が取得した各会議映像に関する情報に基づいて、前記各地点で行われた会議の特徴を表現するアイコンと、場所と時間の軸上に表現された表を生成し、該場所と時間の軸上に表現された表上に該アイコンを前記各地点で行われた会議に対応させて表示する表示手段と
を有することを特徴とする表示装置。
【請求項２】
前記表示手段は、所定の操作によって選択された前記アイコンに対応する会議映像を表示することを特徴とする請求項１記載の表示装置。
【請求項３】
前記表示手段は、前記会議映像に関する情報を所定の情報処理装置に送信するための操作画面を表示することを特徴とする請求項１または請求項２記載の表示装置。
【請求項４】
前記表示手段は、前記会議が行なわれた各地点に対応させた地図を表示することを特徴とする請求項１から請求項３のいずれか一項に記載の表示装置。
【請求項５】
前記表示手段は、前記各地点の時差を考慮して前記場所と時間の軸上に表現された表を表示することを特徴とする請求項１から請求項４のいずれか一項に記載の表示装置。
【請求項６】
前記表示手段は、前記場所と時間の軸上に表現された表の各地点で同じ日を同じ色で表示することを特徴とする請求項１から請求項５のいずれか一項に記載の表示装置。
【請求項７】
前記表示手段は、前記場所と時間の軸上に表現された表の各地点で同じ日を線のつながりで表示することを特徴とする請求項１から請求項６のいずれか一項に記載の表示装置。
【請求項８】
前記表示手段は、前記場所と時間の軸上に表現された表を表示されている地点を中心にして表示することを特徴とする請求項１から請求項７のいずれか一項に記載の表示装置。
【請求項９】
前記表示手段は、前記場所と時間の軸上に表現された表中の地点を前記場所の軸方向に移動させて表示することを特徴とする請求項１から請求項８のいずれか一項に記載の表示装置。
【請求項１０】
前記表示手段は、前記場所と時間の軸上に表現された表の中で該表を表示している地点については移動させずに、他の地点については前記場所の軸方向に移動させて表示することを特徴とする請求項９記載の表示装置。
【請求項１１】
前記表示手段は、前記場所と時間の軸上に表現された表の時間軸を一日単位、一週間単位および一ヶ月単位のうちのいずれか一つで表現することを特徴とする請求項１から請求項１０のいずれか一項に記載の表示装置。
【請求項１２】
前記表示手段は、前記場所と時間の軸上に表現された表の時間軸方向を非線形に表示することを特徴とする請求項１から請求項１１のいずれか一項に記載の表示装置。
【請求項１３】
前記表示手段は、前記場所と時間の軸上に表現された表を三次元空間上に表示することを特徴とする請求項１から請求項１２のいずれか一項に記載の表示装置。
【請求項１４】
前記表示手段は、前記場所と時間の空間に表現された表を所定の軌跡に沿って回転して表示させることを特徴とする請求項１３記載の表示装置。
【請求項１５】
前記表示手段は、前記会議映像が多地点で同時に行われた会議についての映像である場合、前記場所と時間の軸上に表現された表中の会議が行われた複数の地点上に前記アイコンを表示することを特徴とする請求項１から請求項１４のいずれか一項に記載の表示装置。
【請求項１６】
前記表示手段は、前記会議映像が多地点で同時に行われる会議についての映像であり、前記場所と時間の軸上に表現された表の中で地点の位置が離れている場合、前記アイコンを分割して前記場所と時間の軸上に表現された表上に表示することを特徴とする請求項１から請求項１５のいずれか一項に記載の表示装置。
【請求項１７】
前記表示装置は更に、前記取得手段が取得した各会議映像に関する情報に基づいて、各会議の特徴量を計算する計算手段を有し、
前記表示手段は、前記各会議の特徴量に基づいて前記アイコンを表現することを特徴とする請求項１から請求項１６のいずれか一項に記載の表示装置。
【請求項１８】
前記各会議の特徴量は、会議参加者の情報、会議映像の参照回数、会議映像へのアクセス場所、会議映像にアクセスした人の情報、アノテーションに関する情報、会議映像の長さ、コンテンツの量、会議のスタイル、会議参加者の動きの大きさ、および会議参加者の声の大きさのうちの少なくともいずれか１つが含まれる請求項１７記載の表示装置。
【請求項１９】
前記表示手段は、前記映像記憶装置に記憶された会議映像の参照回数に応じて前記アイコンを表現することを特徴とする請求項１から請求項１６のいずれか一項に記載の記載の表示装置。
【請求項２０】
前記表示手段は、前記会議映像への参照回数に応じて前記アイコンの背景色を変えることによって前記アイコンを表現することを特徴とする請求項１９記載の表示装置。
【請求項２１】
前記表示手段は、前記会議に参加した参加者の人数に応じて前記アイコンを表現することを特徴とする請求項１から請求項１６のいずれか一項に記載の表示装置。
【請求項２２】
前記表示手段は、前記会議参加者の属性に応じて参加者を表すシンボルの色を変えて前記アイコンを表現することを特徴とする請求項１から請求項１６のいずれか一項に記載の表示装置。
【請求項２３】
前記表示手段は、前記会議映像に付加されたアノテーションの有無に応じて前記アイコンを表現することを特徴とする請求項１から請求項１６のいずれか一項に記載の表示装置。
【請求項２４】
複数の地点で行われた会議の映像を記憶する映像記憶装置と、
前記映像に関する情報を受信する情報処理装置と、
前記場所と時間の軸上に表現された表上に表示されたアイコンを選択する選択手段と、
請求項１から請求項２３のいずれか一項に記載の表示装置と
を有することを特徴とするシステム。
【請求項２５】
複数の地点で行われる会議の映像を記憶する映像記憶装置から各会議映像に関する情報を取得する取得ステップと、
前記取得手段が取得した各会議映像に関する情報に基づいて、前記各地点で行われた会議の特徴を表現するアイコンと、場所と時間の軸上に表現された表を生成するステップと、
前記場所と時間の軸上に表現された表上に該アイコンを前記各地点で行われた会議に対応させて表示する表示ステップと
を有することを特徴とする表示方法。
【発明の詳細な説明】
【技術分野】
【０００１】
本発明は、表示装置、システムおよび表示方法に関する。
【背景技術】
【０００２】
従来、会議映像等のように複数の映像を蓄積する装置から映像を読み出して再生することで興味のある映像を探し出せるシステムが提案されている。このシステムでは、例えば会議映像や会議映像に関する資料をデータベースに登録しておき、担当の者が電子メール等により会議映像の存在を会議映像に興味がありそうな人に知らせる。電子メールを受け取った人は、パーソナルコンピュータ等によりデータベースから会議映像や会議資料のファイルを取り出して内容を確認することで、興味のある会議映像かどうかを知ることができる。このような従来技術に関連する特許文献として以下のようなものが提案されている。
【０００３】
特許文献１記載の装置は、映像と同時に使用された静止画を映像に同期させて蓄積しておき、映像とともに静止画を表示して、過去の会議を実際に行われたように映像、静止画を再生表示することで会議の内容を振り返ることができるというものである。
【０００４】
特許文献２記載の装置は、スケジューリングにおいて、イベントを場所と時間で表示させるというものである。
【０００５】
【特許文献１】特開２００３−８７７２５号公報
【特許文献２】特開２００１−３１８１７５号公報
【発明の開示】
【発明が解決しようとする課題】
【０００６】
しかしながら、特許文献１記載の装置では、過去の会議を実際に行われたように映像、静止画を再生表示できるというものであるが、過去にどのような会議が行われたのかを知りたい場合、ユーザーが積極的に検索をするか、誰かから教わらなければならないという問題があった。
【０００７】
特許文献２記載の装置は、将来の予定であるスケジューリングを表示するというものであり、過去にどのような会議が行われ方かを知ることはできない。
【０００８】
そこで、本発明は、上記問題点に鑑みてなされたもので、各地点で行われた会議映像の特徴を一目で把握できる表示装置、システムおよび表示方法を提供することを目的とする。
【課題を解決するための手段】
【０００９】
上記課題を解決するために、本発明は、請求項１に記載のように、複数の地点で行われる会議の映像を記憶する映像記憶装置から各会議映像に関する情報を取得する取得手段と、前記取得手段が取得した各会議映像に関する情報に基づいて、前記各地点で行われた会議の特徴を表現するアイコンと、場所と時間の軸上に表現された表を生成し、該場所と時間の軸上に表現された表上に該アイコンを前記各地点で行われた会議に対応させて表示する表示手段とを有することを特徴とする表示装置である。請求項１記載の発明によれば、各地点で行われた会議の特徴を表現するアイコンを場所と時間の軸上に表現された表上に表示するので、各地点で行われた会議映像の特徴を一目で把握できる。
【００１０】
本発明は、請求項２に記載のように、請求項１記載の表示装置において、前記表示手段は、所定の操作によって選択された前記アイコンに対応する会議映像を表示することを特徴とする。請求項２記載の発明によれば、選択されたアイコンに対応する会議映像を表示することで興味のある会議映像をすぐに視聴できる。
【００１１】
本発明は、請求項３に記載のように、請求項１または請求項２記載の表示装置において、前記表示手段は、前記会議映像に関する情報を所定の情報処理装置に送信するための操作画面を表示することを特徴とする。請求項３記載の発明によれば、会議映像に関する情報を情報処理装置に送信するための操作画面を操作することで、興味のある会議映像に関する情報を情報処理装置に送ることができる。これにより興味のある会議映像を後でゆっくりと視聴できる。
【００１２】
本発明は、請求項４に記載のように、請求項１から請求項３のいずれか一項に記載の表示装置において、前記表示手段は、前記会議が行なわれた各地点に対応させた地図を表示することを特徴とする。請求項４記載の発明によれば、会議の行われた地点に対応させた地図を表示するので、どこで行われた会議かを一目で把握できる。
【００１３】
本発明は、請求項５に記載のように、請求項１から請求項４のいずれか一項に記載の表示装置において、前記表示手段は、前記各地点の時差を考慮して前記場所と時間の軸上に表現された表を表示することを特徴とする。請求項５記載の発明によれば、会議の行われた日を一目で把握できる。
【００１４】
本発明は、請求項６に記載のように、請求項１から請求項５のいずれか一項に記載の表示装置において、前記表示手段は、前記場所と時間の軸上に表現された表の各地点で同じ日を同じ色で表示することを特徴とする。請求項６記載の発明によれば、会議の行われた日を、時差にまどわされることなく把握できる。
【００１５】
本発明は、請求項７に記載のように、請求項１から請求項６のいずれか一項に記載の表示装置において、前記表示手段は、前記場所と時間の軸上に表現された表の各地点で同じ日を線のつながりで表示することを特徴とする。請求項７記載の発明によれば、会議の行われた日を、時差にまどわされることなく把握できる。
【００１６】
本発明は、請求項８に記載のように、請求項１から請求項７のいずれか一項に記載の表示装置において、前記表示手段は、前記場所と時間の軸上に表現された表を表示されている地点を中心にして表示することを特徴とする。請求項８記載の発明によれば、場所と時間の軸上に表現された表を表示している地点を中心に表示するので、視聴者に対して見やすい表示を提供できる。
【００１７】
本発明は、請求項９に記載のように、請求項１から請求項８のいずれか一項に記載の表示装置において、前記表示手段は、前記場所と時間の軸上に表現された表中の地点を前記場所の軸方向に移動させて表示することを特徴とする。請求項９記載の発明によれば、場所と時間の軸上に表現された表中の地点を場所の軸方向に移動させて表示するので、複数の地点があり一つの画面上では表示できない場合であっても、ユーザーが操作することなくとも、各地点で行われた会議を見ているだけで把握できる。
【００１８】
本発明は、請求項１０に記載のように、請求項９記載の表示装置において、前記表示手段は、前記場所と時間の軸上に表現された表の中で該表を表示している地点については移動させずに、他の地点については前記場所の軸方向に移動させて表示することを特徴とする。請求項１０記載の発明によれば、場所と時間の軸上に表現された表中で表示されている地点については移動させないで、他の地点を順次移動させて表示するので、表示を見ている人を中心に表示できる。
【００１９】
本発明は、請求項１１に記載のように、請求項１から請求項１０のいずれか一項に記載の表示装置において、前記表示手段は、前記場所と時間の軸上に表現された表の時間軸を一日単位、一週間単位および一ヶ月単位のうちのいずれか一つで表現することを特徴とする。請求項１１記載の発明によれば、場所と時間の軸上に表現された表における時間軸を一日単位、一週間単位、一ヶ月単位で表示でき、様々な時間スケールで、各地点で行われた会議を把握できる。
【００２０】
本発明は、請求項１２に記載のように、請求項１から請求項１１のいずれか一項に記載の表示装置において、前記表示手段は、前記場所と時間の軸上に表現された表の時間軸方向を非線形に表示することを特徴とする。請求項１２記載の発明によれば、時間軸方向を非線形に表示することで、例えば最近の会議映像を多く表示させることできる。
【００２１】
本発明は、請求項１３に記載のように、請求項１から請求項１２のいずれか一項に記載の表示装置において、前記表示手段は、前記場所と時間の軸上に表現された表を三次元空間上に表示することを特徴とする。請求項１３記載の発明によれば、三次元の空間上に表示することで、表示する地点が複数ある場合であっても、多くの地点を一度に表示できる。
【００２２】
本発明は、請求項１４に記載のように、請求項１３記載の表示装置において、前記表示手段は、前記場所と時間の空間に表現された表を所定の軌跡に沿って回転して表示させることを特徴とする。請求項１４記載の発明によれば、場所と時間の空間上に表現された表を軌跡に沿って回転して表示させるので、隠れてしまう部分を見ることができる。
【００２３】
本発明は、請求項１５に記載のように、請求項１から請求項１４のいずれか一項に記載の表示装置において、前記表示手段は、前記会議映像が多地点で同時に行われた会議についての映像である場合、前記場所と時間の軸上に表現された表中の会議が行われた複数の地点上に前記アイコンを表示することを特徴とする。請求項１５記載の発明によれば、どの地点とどの地点で行われた会議についての映像であるかを一目で把握できる。
【００２４】
本発明は、請求項１６に記載のように、請求項１から請求項１５のいずれか一項に記載の表示装置において、前記表示手段は、前記会議映像が多地点で同時に行われる会議についての映像であり、前記場所と時間の軸上に表現された表の中で地点の位置が離れている場合、前記アイコンを分割して前記場所と時間の軸上に表現された表上に表示することを特徴とする。請求項１６記載の発明によれば、表上で地点が離れてしまう場合でも、各地点で行われた会議を一目で把握できる。
【００２５】
本発明は、請求項１７に記載のように、請求項１から請求項１６のいずれか一項に記載の表示装置において、更に、前記取得手段が取得した各会議映像に関する情報に基づいて、各会議の特徴量を計算する計算手段を有し、前記表示手段は、前記各会議の特徴量に基づいて前記アイコンを表現することを特徴とする。請求項１７記載の発明によれば、各会議の特徴量に基づいてアイコンを表現することで、各地点で行われた会議映像の特徴を一目で把握できる。
【００２６】
本発明は、請求項１８に記載のように、請求項１７記載の表示装置において、前記各会議の特徴量は、会議参加者の情報、会議映像の参照回数、会議映像へのアクセス場所、会議映像にアクセスした人の情報、アノテーションに関する情報、会議映像の長さ、コンテンツの量、会議のスタイル、会議参加者の動きの大きさ、および会議参加者の声の大きさのうちの少なくともいずれか１つが含まれる。
【００２７】
本発明は、請求項１９に記載のように、請求項１から請求項１６のいずれか一項に記載の記載の表示装置において、前記表示手段は、前記映像記憶装置に記憶された会議映像の参照回数に応じて前記アイコンを表現することを特徴とする。請求項１９記載の発明によれば、アイコンにより会議映像への参照回数を一目で把握できる。
【００２８】
本発明は、請求項２０に記載のように、請求項１９記載の表示装置において、前記表示手段は、前記会議映像への参照回数に応じて前記アイコンの背景色を変えることによって前記アイコンを表現することを特徴とする。請求項２０記載の発明によれば、アイコンの背景色によって会議映像へのアクセス数を知ることができる。
【００２９】
本発明は、請求項２１に記載のように、請求項１から請求項１６のいずれか一項に記載の表示装置において、前記表示手段は、前記会議に参加した参加者の人数に応じて前記アイコンを表現することを特徴とする。請求項２１記載の発明によれば、アイコンにより参加者の人数を一目で把握できる。
【００３０】
本発明は、請求項２２に記載のように、請求項１から請求項１６のいずれか一項に記載の表示装置において、前記表示手段は、前記会議参加者の属性に応じて参加者を表すシンボルの色を変えて前記アイコンを表現することを特徴とする。請求項２２記載の発明によれば、会議参加者の属性を一目で把握できる。
【００３１】
本発明は、請求項２３に記載のように、請求項１から請求項１６のいずれか一項に記載の表示装置において、前記表示手段は、前記会議映像に付加されたアノテーションの有無に応じて前記アイコンを表現することを特徴とする。請求項２３記載の発明によれば、アイコンにより会議映像にアノテーションが付加されているかどうかを一目で把握できる。
【００３２】
本発明は、請求項２４に記載のように、複数の地点で行われた会議の映像を記憶する映像記憶装置と、前記映像に関する情報を受信する情報処理装置と、前記場所と時間の軸上に表現された表上に表示されたアイコンを選択する選択手段と、請求項１から請求項２３のいずれか一項に記載の表示装置とを有することを特徴とするシステムである。請求項２４記載の発明によれば、各地点で行われた会議の特徴を表現するアイコンを場所と時間の軸上に表示するので、各地点で行われた会議を一目で把握できるシステムを提供できる。
【００３３】
本発明は、請求項２５に記載のように、複数の地点で行われる会議の映像を記憶する映像記憶装置から各会議映像に関する情報を取得する取得ステップと、前記取得手段が取得した各会議映像に関する情報に基づいて、前記各地点で行われた会議の特徴を表現するアイコンと、場所と時間の軸上に表現された表を生成するステップと、前記場所と時間の軸上に表現された表上に該アイコンを前記各地点で行われた会議に対応させて表示する表示ステップとを有することを特徴とする表示方法である。請求項２５記載の発明によれば、各地点で行われた会議の特徴を表現するアイコンを場所と時間の軸上に表示するので、各地点で行われた会議を一目で把握できる。
【発明の効果】
【００３４】
本発明によれば、各地点で行われた会議映像の特徴を一目で把握できる表示装置、システムおよび表示方法を提供できる。
【発明を実施するための最良の形態】
【００３５】
以下、本発明を実施するための最良の形態について実施例を用いて説明する。
【実施例１】
【００３６】
図１は実施例１に係るシステムの全体構成図である。図１に示すように、システム１は、会議映像記録装置２Ａ〜２Ｃ、サーバー３、データベース４、表示装置５Ａ〜５Ｃ、パーソナルコンピュータ６を備える。会議映像記録装置２Ａ〜２Ｃはネットワーク７を介して接続されている。会議映像記録装置２Ａ〜２Ｃは、会議の内容を記録するものである。
【００３７】
会議映像記録装置２ＡはＡ地点に設置された会議映像記録装置、会議映像記録装置２ＢはＢ地点に設置された会議映像記録装置、会議映像記録装置２ＣはＣ地点に設置された会議映像記録装置である。会議映像記録装置２Ａは、サーバー２１、カメラ２２、マイク２３、スピーカ２４、センサ２５を備える。なお、会議映像記録装置２Ｂ、２Ｃは、会議映像記録装置２Ａと同一構成であるため、ここでは説明を省略する。
【００３８】
サーバー２１はＣＰＵ（Central Processing Unit）、ＲＡＭ（Random Access Memory）、ＲＯＭ（Read Only Memory）等を用いて構成されている。サーバー２１はカメラ２２、マイク２３で会議を記録した映像をサーバー３に送る。サーバー３はサーバー２１から送られる会議映像をデータベース４に記録し、表示装置５Ａ〜５Ｃの要求に応じて会議映像に関する情報を配信する。データベース４は複数の地点で行われる会議映像およびこれに関連する情報を記憶するものである。データベース４は一つだけでなく分散的に設置してもよい。ネットワーク７には例えばインターネット、ＬＡＮ（Local Area Network）、ＷＡＮ（Wide Area Network）等が含まれる。
【００３９】
表示装置５Ａは地点Ａに、表示装置５Ｂは地点Ｂに、表示装置５Ｃは地点Ｃにそれぞれ設置されている。表示装置５Ａ〜５Ｃは会議映像記録装置２Ａ〜２Ｃに対応して各地点に配置されている。表示装置５Ｂは、表示部５１、サーバー５２、カメラ５３、マイク５４、スピーカ５５、センサ５６、タッチパネル５７を備える。なお、表示装置５Ａ、５Ｃは表示装置５Ｂと同一構成のため、ここでは説明を省略する。
【００４０】
表示部５１は表示面５１ａを有し、例えばプラズマディスプレイ等の大型のディスプレイで構成されている。表示部５１の表示面５１ａには、データベース４に蓄積されている会議映像や、場所と時間の軸上に表現された表、各地点で行われた会議の特徴を表現するアイコンが表示される。表示部５１は表示面５１ａに対応する位置にタッチパネル５７が配置されている。視聴者はこのタッチパネルを用いて各種の指示やメッセージを入力することができる。このタッチパネル５７により検出された情報はサーバー５２に送られる。ここでは入力装置としてタッチパネル５７を用いて説明しているが、例えばキーボードやマウス等の入力装置であってもよい。
【００４１】
カメラ５３は表示部５１に表示する会議映像等を視聴者を撮影するためのものである。このカメラ５３には、静止画像、動画像を撮影するカメラが含まれる。カメラ５３で撮影された画像は、サーバー５２に送られ、アノテーションとして会議映像に関連付けられてデータベース４に登録できる。マイク５４は視聴者の音声を取得するものである。このマイク５４からの音声はサーバー５２に送られ、アノテーションとして会議映像に関連付けられてデータベース４に登録できる。スピーカ５５は表示部５１で表示する画像に同期した音声を再生するものである。
【００４２】
センサ５６は所定のエリア内に存在する視聴者の存在を検出するものである。このセンサ５６には、例えば、赤外線センサ等の距離センサや、人物に付けられているＲＦＩＤ（Radio Frequency Identification）を受信するセンサ等が含まれる。センサ５６は例えば人物と表示部５１との距離がＮメートル以内の場合に検出信号をサーバー５２に送る。サーバー５２は表示装置５全体を制御する。このサーバー５２は例えば、ＣＰＵ、ＲＯＭ、ＲＡＭ等を用いて構成されている。
【００４３】
サーバー５２は複数の地点で行われる会議の映像を記憶するデータベース４から各会議映像に関する情報を取得し、取得した各会議映像に関する情報に基づいて、各地点で行われた会議の特徴を表現するアイコンと、場所と時間の軸上に表現された表を生成し、場所と時間の軸上に表現された表上にアイコンを各地点で行われた会議に対応させて表示する。サーバー５２は手書き、タッチパネル５７またはキーボードからの入力、カメラ５３の撮影によりアノテーションが入力されたとき、このアノテーションを対応する会議映像に関連付けてデータベース４に登録する。
【００４４】
パーソナルコンピュータ６は会議映像の詳細を見るためのものであり、例えば会議映像のＩＤを用いてデータベース４にアクセスして、興味のある会議映像に関する情報を受信して所定のディスプレイに表示できる。パーソナルコンピュータ６は手書き、キーボード、ビデオの撮影によりアノテーションが入力されたとき、このアノテーションを対応する会議映像に関連付けてデータベース４に保存する。パーソナルコンピュータ６はシステムへのログインＩＤ、または所定のセンサで特定された人物のＲＦＩＤタグによってアノテーション付加者を特定する。パーソナルコンピュータ６はアノテーション付加者に関する情報をアノテーションとともにデータベース４に保存する。
【００４５】
次に、会議映像の登録から表示までの概要を説明する。図２は会議映像から表示までの概要を説明する図である。図２に示すように、会議映像記録装置２Ａ〜２Ｃは会議映像およびこの会議映像に関する情報をデータベース４に登録する。サーバー３はデータベース４に登録されている会議映像およびこれに関連する情報を各地点に配置されている表示装置５Ａ〜５Ｃに配信する。表示装置５Ａ〜５Ｃのサーバー５２はデータベース４に登録されている会議映像およびこれに関する情報から所定の特徴量に基づいて会議情報の俯瞰ビューを生成する。会議情報の俯瞰ビューを生成する処理はサーバー３で行ってもよい。表示装置５Ａ〜５Ｃは会議情報の俯瞰ビューを表示する。
【００４６】
図３は会議映像を登録するための処理フローチャートである。図１および図２を参照しながら会議映像を登録するための処理について説明する。ステップＳ１０１で、会議映像記録装置２は会議が開始したかどうかをみて、会議が開始したことを検出すると、ステップＳ１０２で、会議の撮影を開始する。ステップＳ１０３で、会議映像記録装置２は会議が終了したかどうかをみて、会議が終了したことを検出すると、ステップＳ１０４で、会議内容の撮影を終了する。ステップＳ１０５で、会議映像記録装置２は会議映像をサーバー３を介してデータベース４に登録する。
【００４７】
ここで、サーバー２１はステップＳ１０５で会議映像をデータベース４に記録する際に、会議が行われた日時、会議名、会議参加者の情報、会議資料、アノテーションを会議映像に関連付けて登録する。この登録は会議映像記録装置２により自動で行ってもよいし、ユーザーにより手動で行ってもよい。また、会議参加者の情報には、会議参加者の名前、顔写真等が含まれる。会議参加者の名前と顔写真の対応をあらかじめデータベース４に登録しておいてもよい。
【００４８】
会議資料はスライドおよび紙ドキュメント等からなるものである。サーバー２１は会議室にあるプロジェクタからスライドに映し出された資料を自動的にデータベース４に登録できる。また、サーバー２１は会議資料にとりつけられたＩＤタグをセンサ２５で読み出し、紙文章を管理するデータベース（図示せず）からその電子情報を取り込んでデータベース４に登録するようにしてもよい。
【００４９】
サーバー２１は会議が行われたときに自動的に会議映像をデータベース４に登録する。この場合、サーバー２１はセンサ２５で所定のスイッチのオンオフを検出することによって会議の開始／終了時間を判断する。このスイッチは、会議室の照明などのスイッチであってもよい。また、サーバー２１は人物が持つＲＦＩＤのようなタグをセンサ２５で検出し、人物の会議室への入室を検出し、会議の開始／終了時間を判断してもよい。
【００５０】
サーバー２１は会議室に設置されたカメラ２２で撮影した映像を解析することによって、会議室にいる人物の存在を検出し、会議の開始／終了時間を判断するようにしてもよい。またサーバー２１は会議室に設定されたマイク２３から収音した音声を解析することで、会議室にいる人物の存在を検出し、会議の開始／終了の時間を判断するようにしてもよい。
【００５１】
次に、アノテーションの登録方法について説明する。サーバー２１はアノテーション、アノテーションを付加した人物、アノテーションを付加した時刻を会議映像に関連付けてデータベース４に登録する。ここで、アノテーションは例えば手書き画像、映像、ドキュメントからなるものである。またアノテーションの登録は表示装置５から行うこともできる。次に会議情報俯瞰ビューの表示処理について説明する。
【００５２】
図４は会議情報俯瞰ビューの表示処理のフローチャートである。ステップＳ２０１で、表示装置５Ｂのサーバー５２は、電源オンや操作部の操作を検出して会議情報俯瞰ビューの表示要求があるかどうかを検出する。ステップＳ２０２で、サーバー５２は、会議情報俯瞰ビューの表示要求があった場合、サーバー５２がサーバー３を介してデータベース４にアクセスして会議映像が登録されているかどうかを問い合わせる。
【００５３】
ステップＳ２０３で、サーバー５２はデータベース４に会議映像が登録されていると判断した場合、ステップＳ２０４で、データベース４から会議映像に関する情報を取得する。ステップＳ２０５で、サーバー５２はデータベース４から取得した会議映像に関する情報に基づいて、各地点で行われた会議の特徴を表現するアイコンと場所と時間の軸上に表現された表を生成する。ステップＳ２０６で、サーバー５２は、場所と時間の軸上に表現された表上に各地点で行われた会議に対応させてアイコンを表示部５１で表示する。このような表示処理によって表示された会議情報の俯瞰ビューを図５に示す。
【００５４】
図５に示すように、会議情報の俯瞰ビューＢの表示では、場所と時間の軸上に表現された表Ｔ上に、各地点で行われた会議の特徴を表現するアイコンＩ１〜Ｉ５を各地点Ａ〜Ｃで行われた会議に対応して表示されている。アイコンＩ１〜Ｉ５は各地点で行われた会議の特徴を表現するアイコンである。
【００５５】
アイコンＩ４は、テレビ会議用のアイコンである。テレビ会議の場合、通常離れた地点同士で会議が行われる。このように、サーバー５２は会議映像が多地点で同時に行われた会議についての映像である場合、会議が行われた複数の地点上にアイコンＡＩ４を表示する。会議が行われた複数の地点上にアイコンＡＩ４を表示することで、アイコンＡＩ４によって会議が行われた地点をつないで表示できる。これにより、どの地点とどの地点で行われた会議についての映像であるかを一目で知ることができる。ユーザーがアイコンＩ１〜Ｉ５をクリックなどして所定の操作によってアイコンを選択すると、サーバー５２はタッチパネル５７を介してユーザーが選択したアイコンを検出し、会議映像を表示する。なお、サーバー５２は、場所と時間の軸上に表現された表Ｔの時間軸を一日単位、一週間単位、一ヶ月単位で表現する。
【００５６】
次にパーソナルコンピュータ６へ会議情報の送信処理について説明する。サーバー５２は、図５に示すように、会議情報の俯瞰ビューＢを表示する際に、図６に示すような会議情報送信画面Ｃを表示する。ユーザーが会議情報の俯瞰ビューＢを見ているときに気になる会議映像を見つけたとする。ユーザーは気になる会議映像のＩＤを自分のパーソナルコンピュータ６へ送るために、キーボード（図示省略）を用いて会議情報送信画面Ｃに送信先メールアドレスを入力して、タッチパネル５７を用いて送信ボタンを押す。サーバー５２は会議映像ＩＤの送信要求をサーバー３に送る。サーバー３はデータベース４を参照して会議映像ＩＤを指定されたパーソナルコンピュータ６に送る。これにより、ユーザーは後でサーバー３から送られてきた会議映像ＩＤを用いてデータベース４にアクセスして自分の興味のある会議映像をゆっくりと視聴できる。パーソナルコンピュータ６へ送信したり、パーソナルコンピュータ６上で会議映像を閲覧したりした場合、データベース４でこの会議映像ＩＤに対応する会議について閲覧回数を１増やす。
【００５７】
次に本実施例による効果について説明する。従来のシステムでは、会議の情報（映像や資料など）をデータベースに登録しても、登録された情報は表示装置に文字で表示されるだけでため、どのような会議が、いつ、どこで行われたのかを容易に知ることができなかった。会議が行われた場所や会議の名前をユーザーが入力して、知りたい会議を検索するには、この従来のシステムで十分だが、各地でどのような会議が行われているかを、検索することなく、簡単に俯瞰したい場合には、この機能だけでは十分ではない。
【００５８】
特に、さまざまな地点で会議が行われ、各地点で時差があるような場合、それぞれの地点で行われた会議の時間関係が分からないため、地点Ａの会議Ａ１と地点Ｂの会議Ｂ２が、どちらが先に行われたのか知るためには、時差を考えて計算しなければ分からない。また、テレビ会議を行っている場合には、複数地点にまたがって行われており、どことどこが結ばれて会議が行われているのかが分かりにくい。さらに、会議の重要度が分かりにくいため、どの会議が多くの人に参照されているのか、などが分からず、重要な会議を見過ごしてしまうことがあった。
【００５９】
本実施例によるシステムによって、図５に示すような会議情報の俯瞰ビューＢを表示することによって、ユーザーは、特に操作を行うことなく、会議の行われた時間、地点、テレビ会議の接続関係を俯瞰することが可能になる。これにより、今まで気づかなかった会議の存在に気づく可能性が広がる。
【００６０】
例えば、Ａ地点に勤めるＭ氏が、本表示装置５で表示された会議情報の俯瞰ビューにより各地で行われた会議の様子を俯瞰してみた。すると、Ｂ地点とＣ地点間で、ここ２、３日、盛んにテレビ会議が行われているのに気づく。会議の内容を調べてみると、地点Ｂ、Ｃで販売されている商品に起きた問題について議論している。地点Ａでも同じ商品を販売しているため、同じような問題が起こりうると気づき、地点Ｂ、Ｃの担当者に連絡をとって、このテレビ会議に地点Ａも参加させてもらうようにした。他の地点の人も、本表示装置５によって、地点Ｂ、Ｃの会議に地点Ａも加わっていったことに気づき、次々と会議に加わり、この商品の問題点をいち早く共有、解決することができた。
【実施例２】
【００６１】
次に実施例２について説明する。実施例２では会議俯瞰ビューの変形例について説明する。図７は、実施例２による会議情報俯瞰ビューＢ２の他の表示例について示す図である。図７に示すように、会議情報の俯瞰ビューＢ２の表示では、サーバー５２は場所と時間の軸上に表現された表Ｔ２上に、各地点で行われた会議の特徴を表現するアイコンＩ１１〜Ｉ１５を各地点Ａ〜Ｃで行われた会議に対応させて表示する。サーバー５２は各地点の時差を考慮して時差の分だけずらして場所と時間の軸上で表現された表Ｔ２を表示する。このとき、サーバー５２は場所と時間の軸上に表現された表Ｔ２中の各地点の同じ日を線のつながりで表現するようにしてもよい。またサーバー５２は場所と時間の軸上に表現された表Ｔ２中の各地点で同じ日を同じ色で表現するようにしてもよい。
【００６２】
実施例２によれば、どの地点で何時会議が行われたかを一目で把握することができる。
【実施例３】
【００６３】
次に実施例３について説明する。実施例３では会議俯瞰ビューの変形例について説明する。図８は実施例３による会議俯瞰ビューの他の表示例について示す図である。図８に示すように、会議情報の俯瞰ビューＢ３の表示では、サーバー５２は、場所と時間の軸上に表現された表Ｔ上に、各地点で行われた会議の特徴を表現するアイコンＩ１〜Ｉ５を各地点地点Ａ、Ｂ、Ｃで行われた会議に対応させて表示する。サーバー５２は、会議が行なわれた各地点Ａ、Ｂ、Ｃに対応させた地図Ｍを表示する。
【００６４】
実施例３によれば、会議が行われた各地点の場所が分かるように地図Ｍを表示し、各地点との対応を表示したので、会議が行われた地点を直感的に把握できる。
【実施例４】
【００６５】
次に実施例４について説明する。実施例４では、会議情報の俯瞰ビューの変形例について説明する。図９は会議情報の俯瞰ビューＢ４、Ｂ５の表示例について示す図であり、同図（ａ）は地点Ｂに設置された表示装置５Ｂの表示例を示し、同図（ｂ）は地点Ａに設置された表示装置５Ａの表示例を示す。図９（ａ）に示すように、会議情報の俯瞰ビューＢ４の表示では、サーバー５２は場所と時間の軸上に表現された表Ｔ４上に、各地点で行われた会議の特徴を表現するアイコンＩ３１〜Ｉ３５を各地点Ａ〜Ｃで行われた会議に対応させて表示する。
【００６６】
サーバー５２は表示装置５Ｂに表示されている地点Ｂを中心にして場所と時間の軸上に表現された表Ｔ４を表示している。これにより視聴者に対して見やすい表示を提供できる。同図９（ｂ）に示すように、会議情報の俯瞰ビューＢ５の表示では、サーバー５２は場所と時間の軸上に表現された表Ｔ５上に、各地点で行われた会議の特徴を表現するアイコンＩ４１〜Ｉ４５を各地点Ａ〜Ｃで行われた会議に対応させて表示する。
【００６７】
サーバー５２は表示装置５Ａに表示されている地点Ａを中心にして場所と時間の軸上に表現された表Ｔ５を表示している。これにより視聴者に対して見やすい表示を提供できる。サーバー５２はテレビ会議についての会議映像のように会議映像が多地点で同時に行われる会議についての映像であり、場所と時間の軸上に表現された表の中で地点Ｂ、Ｃの位置が離れていて、一つのアイコンでは表示できない場合、アイコンＩ４４ａ、ｉ４４ｂを分割して場所と時間の軸上に表現された表Ｔ５上に表示する。この表示の順番は手動で変更することができる。
【００６８】
実施例４によれば、表上で地点が離れてしまう場合でも、各地点で行われた会議を一目で把握できる。
【実施例５】
【００６９】
次に実施例５について説明する。図１０は、実施例５による会議情報の俯瞰ビュー表示Ｂ６を説明する図であり、同図（ａ）は会議情報の俯瞰ビューＢ６の初期時の表示例を示す図、同図（ｂ）はＮ秒後の会議情報の俯瞰ビューＢ６の表示例を示す図である。サーバー５２は、初期時に同図（ａ）に示す場所と時間の軸上に表現された表Ｔ６を表示する。会議が行われた地点が多すぎる場合、すべての地点を一度に表示することができないことがある。
【００７０】
このような場合、サーバー５２は、同図（ｂ）に示すように、場所と時間の軸上に表現された表Ｔ６中の地点を場所の軸方向に移動させて表示する。具体的には、サーバー５２ははじめ地点Ａ、地点Ｂおよび地点Ｃを含めた表Ｔ６を表示し、Ｎ秒後には各地点を右方向にずらして、地点Ｂ、地点Ｃおよび地点Ｄを含めた表Ｔ６を表示し、更にＮ秒後に各地点を右方向にずらして、地点Ｃ、地点Ｄおよび地点Ｅを含めた表を表示し、更にＮ秒後に各地点を右方向にずらして、地点Ｄ、地点Ｅおよび地点Ｆを含めた表Ｔ６を表示する。このように表示することで、ユーザーが操作しなくても自動的に表示される地点が変わるが、ユーザーの操作によって表示される地点を選択することもできる。
【００７１】
実施例５によれば、場所と時間の軸上に表現された表中の地点を場所の軸方向に順次移動させて表示することで、複数の地点があり一つの画面上では表示できない場合であっても、各地点で行われた会議を一目で把握できる。
【実施例６】
【００７２】
次に実施例６について説明する。図１１は実施例６による会議情報の俯瞰ビューＢ７を説明する図であり、同図（ａ）は会議情報の俯瞰ビューＢ７の初期時の表示例、同図（ｂ）はＮ秒後の会議情報の俯瞰ビューＢ７の表示例を示す図である。図１１の会議情報の俯瞰ビューＢ７はＢ地点に設置された表示装置５Ｂで表示されるものである。なお、図１１において、簡略化のためアイコンは省略して示している。
【００７３】
サーバー５２は、初期時に同図（ａ）に示す場所と時間の軸上に表現された表Ｔ７を表示する。会議が行われた地点が多すぎる場合、すべての地点を一度に表示することができないことがある。このような場合、同図（ｂ）に示すように、サーバー５２は場所と時間の軸上に表現された表Ｔ７の中で表Ｔを表示している地点Ｂについては移動させずに表示し、他の地点を場所の軸方向に移動させて表示する。つまり、サーバー５２はまず地点Ｂを中心に左右に地点Ａ、地点Ｃを表示し、Ｎ秒後には、地点Ｂを中心に左右にＣ地点、Ｄ地点を表示し、さらにＮ秒後には、地点Ｂを中心に左右にＤ地点、Ｅ地点を表示する。このように、地点Ｂに設置された表示装置５Ｂでは、常に地点Ｂを中心として、左右の地点が順次スライドして表示される。なお、表示する地点は手動で選択できる。
【００７４】
実施例５によれば、表示する地点を常に中心にして、スライドショー的に、一定時間ごとにずらしていくことにより、複数の地点があり一つの画面上では表示できない場合であっても、各地点で行われた会議を一目で把握できる。
【実施例７】
【００７５】
次に実施例７について説明する。図１２は実施例７による会議俯瞰ビューＢ８を説明する図である。図１２では簡略化のため他の地点を省略して示している。表示するアイコンの数は、表示領域の制約により全てのアイコンを表示することができない場合がある。このような場合、図１１に示すように、サーバー５２は、場所と時間の軸上に表現された表Ｔ８の時間軸方向を非線形に表示し、表示領域に応じて表示するアイコンの数を減らす。図１２では、最近の会議をより多く、詳細に表示するために、時間軸を対数軸で表示している。このため、表示領域は表示領域Ｅ１＞表示領域Ｅ２＞表示領域Ｅ３の関係となっている。サーバー５２は、表示領域に応じて会議の特徴量を用いて表示するアイコンを選択する。なお、時間軸は一週間単位で表示するようにしてもよい。また、一ヶ月、一日単位で表示を変化させてもよい。
【００７６】
実施例７によれば、時間軸を非線形に表示することで、例えば最近の会議映像を多く表示させることできる。
【実施例８】
【００７７】
次に実施例８について説明する。本実施例８による会議俯瞰ビューでは、２次元表示した上記実施例とは異なり、三次元表示としたものである。図１３は実施例８による会議俯瞰ビューＢ９を説明する図である。図１３に示すように、サーバー５２は、場所と時間の軸上に表現された表を三次元空間上に分解して表示する。また、サーバー５２は、場所と時間の空間に表現された表を所定の軌跡に沿って回転して表示させる。サーバー５２はテレビ会議の関係を線でつないで表示することで、どことどこの地点でテレビ会議を行っていたかを一目で把握することができるように表示する。回転は自動的であってもよいし、ユーザーの操作により回転できるようにしてもよい。また、図１３では、斜め上から見ている状態を示しているが所定の操作によって視点を変えて表示することもできる。
【００７８】
実施例８によれば、三次元の空間上に表示することで、表示する地点が複数ある場合であっても、多くの地点を表示できる。また回転させることで、隠れてしまう部分を見ることができる。
【実施例９】
【００７９】
実施例９について説明する。実施例９では、アイコンの表現方法について説明するものである。サーバー５２はデータベース４からの会議に関する情報に基づいて特徴量を計算し、特徴量に応じてアイコンを表現する。サーバー５２は特徴量に応じてアイコン中のシンボルの数や色を変えることによりアイコンを表現する。
【００８０】
ここで、特徴量には、会議参加者の情報、会議映像の参照回数、会議映像へのアクセス場所、会議映像にアクセスした人の役職、アノテーションに関する情報、会議映像の長さ、コンテンツの量、講演／議論等の会議のスタイル、会議映像中の会議参加者の動きの大きさ、会議参加者の声の大きさ等のように会議の特徴を表すものが含まれる。ユーザーの選択によって特徴量を変えたり、組み合わせたり、新たな計算方法により特徴量を計算したりすることもできる。会議映像の参照回数や会議映像へのアクセス場所はアクセスログ等により取得することができる。会議映像中の会議参加者の動きの大きさや会議参加者の声の大きさは、会議映像を画像処理や音声信号処理などの信号処理技術を用いて計算することができる。また、サーバー５２は会議に実際に参加した人の人数＋（会議ビデオを見た人数＊ビデオの再生時間）を新たな特徴量として用いてもよい。
【００８１】
例えば、サーバー５２は以下のようにしてアイコンを表現する。サーバー５２はデータベース４に記憶された会議映像の参照回数に応じてアイコンを表現する。サーバー５２は会議映像への参照回数に応じてアイコンの背景色を変えることによってアイコンを表現する。サーバー５２は各会議情報へアクセスした場所、アクセスした人の役職に応じてシンボルを変えることによりアイコンを表現する。また、サーバー５２は会議に参加した参加者の人数に応じてアイコンを表現する。これによりアイコンを見れば参加者の人数を一目で把握できる。例えば会議参加者の人数をシンボル数で表現する。
【００８２】
また、サーバー５２は会議参加者の属性に応じて参加者を表すシンボルの色を変えてアイコンを表現する。これにより、会議参加者の属性を見ることで会議の重要性を一目で把握できる。また、サーバー５２は会議映像に付加されたアノテーションの有無に応じてアイコンを表現する。これによりアイコンを見れば会議映像にアノテーションが付加されているかどうかを一目で把握できる。また、各会議への後付けアノテーションの量、加えた人の役職をシンボルで表現してもよい。また、サーバー５２は会議の長さ、コンテンツの量、講演／議論等の会議のスタイル、ビデオ中の動きの大きさ、音声の大きさなど内容をシンボルで表現するようにしてもよい。
【００８３】
図１４は会議の特徴量に応じてアイコンを表現する例を示す図である。図１４（ａ）に示すアイコンＩ５１では、会議名、この会議名の左右に会議参加者の人数に応じた参加者シンボルＳが表示されている。この例では、会議の参加者が二人であることが一目で分かる。同図（ｂ）に示すアイコンＩ５２では、会議名、この会議名の左右に会議参加者の数に応じた参加者シンボルＳが表示されている。この例では、会議に参加していた人数が六人であることが一目で分かる。これにより、アイコンを見ることによりアクセス数の多い会議、参加者の多い会議、参加者の役職の高い会議を一目で把握できる。
【００８４】
実施例９によれば、会議の特徴に応じてアイコンを表現するようにしたので、会議の重要性を一目で把握できる。
【００８５】
なお、上記各実施例では、アイコンや表の生成を表示装置５内のサーバー５２によって行う例について説明したが、このアイコンや表の生成をサーバー３により行うようにしてもよい。また、データベース４に接続されたサーバー３が計算を行う場合、特徴量が、すべての地点で共有されてもよい。また、上記各実施例のように、各地点で特徴量を計算する場合、各地点で計算方法を異なるようにしてもよい。例えばＡ地点ではその会議の価値が低い場合、計算において乗算するポイントを低くしてもよい。また、Ａ地点からのアクセスであれば１回のアクセスに通常の３倍のポイントを乗算するようにしてもよい。
【００８６】
以上各実施例によれば、いくつかの場所で行われた過去の会議の特徴を、場所と時間の空間上にアイコンで表示するので、過去に行われた会議が、いつどこで行われたかを一目で把握できる。また、各会議がどの程度重要であるかを一目で判断できる。重要な会議を各ユーザーで共有できる。
【００８７】
なお、上記表において、横軸は地点であるとしてきたが、物理的な地点ではなく、グループやプロジェクトチームといった人の集まりでまとめてもよい。つまり、地点Ａ、Ｂ、Ｃではなく、グループＡ、グループＢ、グループＣというまとまりで、表示を行うようにしてもよい。グループには、例えば知財グループ、開発グループ等が含まれる。各グループの定義とその構成人物は、データベースに保存されている。また上記会議映像俯瞰ビューは、定期的に更新されたり、新しい会議映像が登録された際に更新される。また、サーバー５２が特許請求の範囲における取得手段および表示手段に相当する。データベース４、パーソナルコンピュータ６、タッチパネル５７が特許請求の範囲における映像記憶装置、情報処理装置、選択手段にそれぞれ相当する。
【００８８】
以上本発明の好ましい実施例について詳述したが、本発明は係る特定の実施例に限定されるものではなく、特許請求の範囲に記載された本発明の要旨の範囲内において、種々の変形、変更が可能である。
【図面の簡単な説明】
【００８９】
【図１】実施例１に係るシステムの全体構成図である。
【図２】会議映像から表示までの概要を説明する図である。
【図３】会議映像を登録するための処理フローチャートである。
【図４】会議情報俯瞰ビューの表示処理のフローチャートである。
【図５】会議情報の俯瞰ビューを示す図である。
【図６】会議情報送信画面Ｃを示す図である。
【図７】実施例２による会議情報俯瞰ビューＢ２の他の表示例について示す図である。
【図８】実施例３による会議俯瞰ビューの他の表示例について示す図である。
【図９】実施例４による会議情報の俯瞰ビューＢ４、Ｂ５の表示例について示す図である。
【図１０】実施例５による会議情報の俯瞰ビュー表示Ｂ６を説明する図である。
【図１１】実施例６による会議情報の俯瞰ビューＢ７を説明する図である。
【図１２】実施例７による会議俯瞰ビューＢ８を説明する図である。
【図１３】実施例８による会議俯瞰ビューＢ９を説明する図である。
【図１４】会議の特徴量に応じてアイコンを表現する例を示す図である。
【符号の説明】
【００９０】
１  システム
２Ａ〜２Ｃ  会議映像記憶装置
３  サーバー
４  データベース
５Ａ〜５Ｃ  表示装置
５１  表示部
５２  サーバー
６  パーソナルコンピュータ
【図１】
2005354541.tif 000003
【図２】
2005354541.tif 000004
【図３】
2005354541.tif 000005
【図４】
2005354541.tif 000006
【図５】
2005354541.tif 000007
【図６】
2005354541.tif 000008
【図７】
2005354541.tif 000009
【図８】
2005354541.tif 000010
【図９】
2005354541.tif 000011
【図１０】
2005354541.tif 000012
【図１１】
2005354541.tif 000013
【図１２】
2005354541.tif 000014
【図１３】
2005354541.tif 000015
【図１４】
2005354541.tif 000016